(57)【要約】      （修正有）【課題】無線親機と無線子機による無線端末間の通信方式において、簡単な構成により、親機から子機への呼出し通信時間の短縮が図れる端末網制御装置を提供する。【解決手段】端末網制御装置にＲＣＲ（呼出）信号を送信する機能および簡易呼出ＩＤと情報（データ）を一つのかたまり（簡易呼出ＩＤ＋情報）として送信する機能を有する制御部を備え、無線端末間の通信方式として、従来の如く、簡易呼出ＩＤ個別の連送に代えて、簡易呼出ＩＤと情報（データ）を一つのかたまり（簡易呼出ＩＤ＋情報）として送るという方式とした。【選択図】図３
2014036294.tif 000002
【特許請求の範囲】
【請求項１】
センタ装置からのデータを、通信回線を介して受信し、予め縁組接続されている下位無線端末との間で前記データの送受信を行う上位無線端末として機能する端末網制御装置において、
前記上位無線端末は、
前記下位無線端末との間で無線通信する送受信部と、
前記下位無線端末を呼び出す呼出信号を含むＲＣＲ信号、前記下位無線端末とのリンクを確立する簡易呼出ＩＤ、データを含む情報を格納する記憶部と、
前記センタ装置からのデータを、前記送受信部を介して前記下位無線端末へ送信し、また該下位無線端末から前記送受信部を介して受信したデータを、前記通信回線を介して前記センタ装置へ送信するように制御する制御部と、を備え、
前記制御部は、
前記センタ装置から前記下位無線端末宛への送信要求のデータを受けたとき、前記上位無線端末から前記下位無線端末に対して前記ＲＣＲ信号を送信し、前記下位無線端末を呼び出すように制御するＲＣＲ信号送信制御機能部と、
前記下位無線端末が前記ＲＣＲ信号を着信し、該下位無線端末との間での通信が可能な状態になったとき、前記簡易呼出ＩＤと前記データを含む情報を前記下位無線端末へ送信する簡易呼出ＩＤと情報送信機能部と、
前記簡易呼出ＩＤにより前記下位無線端末との間でリンクが確立され、前記上位無線端末からのデータに応答して前記下位無線端末から送信されるデータを受けたとき、該下位無線端末からのデータを、前記通信回線を介して前記センタ装置へ送信するように制御するデータ送受信機能制御部を含む
ことを特徴とする端末網制御装置。
【請求項２】
前記上位無線端末は無線親機であり、前記下位無線端末は、無線子機であり、前記制御部は、前記無線親機から前記無線子機に対して、前記ＲＣＲ信号からなる無線電文の第１の送信パターンと、前記簡易呼出ＩＤと前記データを含む情報からなる無線電文の第２の送信パターンとに分けて送信する
ことを特徴とする請求項１記載の端末網制御装置。
【請求項３】
前記制御部は、前記簡易呼出ＩＤと前記データを含む情報を一つにまとめ送信する請求項１または２に記載の端末網制御装置。
【請求項４】
前記制御部は、前記簡易呼出ＩＤと前記データを含む情報を一つにまとめにした電文を連続して送信する請求項１から３までのいずれか１項に記載の端末網制御装置。
【発明の詳細な説明】
【技術分野】
【０００１】
本発明は、通信回線を介して接続され、予め縁組（リンク）されている下位無線端末（無線子機）との間で無線通信可能な上位無線端末（無線親機）として機能する端末網制御装置に関するものである。
【０００２】
更に詳しくは、例えばセンタ装置と下位無線端末（例えば無線子機）との間に配置され、センタ装置から送られてくるデータを受け、下位無線端末へ送信し、かつ該データに応答して下位無線端末から送られてくるデータをセンタ装置へ送信するテレメータ機能を有する端末網制御装置に関するものである。
【背景技術】
【０００３】
従来に、センタ装置網制御装置に電話網を介して接続された端末網制御装置と、前記端末網制御装置に有線接続された無線親機と、前記親機と無線接続される無線子機と、前記無線子機に有線接続されたメータ（検針メータの検針値データ）とによって構成され、前記無線親機と前記無線子機が、前記無線親機と前記無線子機の設置時に縁組によって前記親機無線と前記無線子機の相互の無線通信を許可する無線テレメータシステムにおいて、前記無線親機と前記無線子機とが縁組をする際、前記無線子機は当該無線子機における入力により前記無線親機の識別情報が入力された縁組準備要求電文を前記無線親機宛てに無線送信し、前記無線親機は、前記縁組準備要求電文を受信したとき、前記無線子機と縁組をするための準備及び待機状態である待機モードとする無線テレメータシステムが提案されている（特許文献１参照）。
【０００４】
すなわち、無線テレメータシステムの適用例として、無線端末網制御装置側に無線親機を（上位無線端末）を設け、自動検針用メータ側に無線子機（下位無線端末）を設け、無線端末網制御装置側の無線親機と自動検針用メータ側の無線子機間を無線で通信可能に構成した自動検針システムである。
【０００５】
係る従来システムによれば、自動検針システムの設置作業の作業性と信頼性を向上させることができる。
【先行技術文献】
【特許文献】
【０００６】
【特許文献１】特開２００７−１９９７６１号公報
【発明の概要】
【発明が解決しようとする課題】
【０００７】
係るシステムを含め、従来の無線親機と無線子機による無線端末間の通信方式は、一般に以下の手順で実行されている。
【０００８】
すなわち、無線親機と無線子機間のリンク中の無線電文構成として、呼出信号を含むＲＣＲ信号と相手局短縮ＩＤを含む簡易呼出ＩＤとデータを含む情報からなり、無線親機と無線子機間の通信方式として、まず、ＲＣＲ信号を送信し、次に簡易呼出ＩＤを多数回（例えば５５５回）連続して送信（連送）し、両無線端末間のリンクを確立し、しかる後にセンタ装置からのデータ、例えば検針要求のデータを含む情報を順次送信するように構成されていた。
【０００９】
係る通信方式によれば、簡易呼出ＩＤの連送の初期の段階、例えば初回でリンクが確立された場合、残りの多数回の簡易呼出ＩＤの送信は無駄である。
【００１０】
しかし、その間も予め設定された回数は連送されるため、この間通信時間を要することとなり、通信時間が長くなる問題があった。また、無線端末の電源として電池を使用している場合、その電池消耗も速いと言う問題があった。
【００１１】
本発明の目的は、簡単な構成により、通信時間の短縮が図れる端末網制御装置を提供することにある。
【００１２】
また、無線端末の電源として電池を使用している場合には、その電池消耗を改善することが可能な端末網制御装置を提供することにある。
【課題を解決するための手段】
【００１３】
本発明は、係る課題を是正するため、例えば以下のように構成したものである。
すなわち、本発明における端末網制御装置は、端末網制御装置にＲＣＲ信号を送信する機能および簡易呼出ＩＤと情報（データ）を一つのかたまり（簡易呼出ＩＤ＋情報）として送信する機能を有する制御部を備え、無線端末間の通信方式として、従来の如く、簡易呼出ＩＤ個別の連送に代えて、簡易呼出ＩＤと情報（データ）を一つのかたまり（簡易呼出ＩＤ＋情報）として送るという方式とした。
【００１４】
例えば、本発明は、センタ装置からのデータを、通信回線を介して受信し、予め縁組接続されている下位無線端末との間で前記データの送受信を行う上位無線端末として機能する端末網制御装置において、前記上位無線端末は、前記下位無線端末との間で無線通信する送受信部と、前記下位無線端末を呼び出す呼出信号を含むＲＣＲ信号、前記下位無線端末とのリンクを確立する簡易呼出ＩＤ、データを含む情報を格納する記憶部と、前記センタ装置からのデータを、前記送受信部を介して前記下位無線端末へ送信し、また該下位無線端末から前記送受信部を介して受信したデータを、前記通信回線を介して前記センタ装置へ送信するように制御する制御部と、を備え、前記制御部は、前記センタ装置から前記下位無線端末宛への送信要求のデータを受けたとき、前記上位無線端末から前記下位無線端末に対して前記ＲＣＲ信号を送信し、前記下位無線端末を呼び出すように制御するＲＣＲ信号送信制御機能部と、前記下位無線端末が前記ＲＣＲ信号を着信し、該下位無線端末との間での通信が可能な状態になったとき、前記簡易呼出ＩＤと前記データを含む情報を前記下位無線端末へ送信する簡易呼出ＩＤと情報送信機能部と、前記簡易呼出ＩＤにより前記下位無線端末との間でリンクが確立され、前記上位無線端末からのデータに応答して前記下位無線端末から送信されるデータを受けたとき、該下位無線端末からのデータを、前記通信回線を介して前記センタ装置へ送信するように制御するデータ送受信機能制御部を含むことを特徴とする。
【００１５】
また、本発明の上位無線端末は無線親機であり、下位無線端末は、無線子機であり、制御部は、前記無線親機から前記無線子機に対して、前記ＲＣＲ信号からなる無線電文の第１の送信パターンと、前記簡易呼出ＩＤと前記データを含む情報からなる無線電文の第２の送信パターンとに分けて送信することを特徴とする。
【００１６】
また、本発明の制御部は、前記簡易呼出ＩＤと前記データを含む情報を一つにまとめ送信する。
【００１７】
また、本発明の制御部は、前記簡易呼出ＩＤと前記データを含む情報を一つにまとめにした電文を連送する。
【発明の効果】
【００１８】
本発明によれば、従来に比して、通信時間を短縮することができ、また通信時間の短縮により、電力の消費を抑えることが可能な端末網制御装置を提供することができる。
【図面の簡単な説明】
【００１９】
【図１】図１は本発明の端末網制御装置の一適用例を示し、端末網制御装置の無線親機と無線子機との構成例を示すブロック図である。
【図２】図２は本発明の端末網制御装置の無線親機と無線子機間の通信方式による電文構成例を示す図である。
【図３】図３は本発明の端末網制御装置の他の適用例を示し、本発明の端末網制御装置の無線親機と副親機と中継機と無線子機間の構成例を示す図である。
【図４】図４は本発明の端末網制御装置の無線親機と無線子機との他の実施例を示す模式図である。
【発明を実施するための形態】
【００２０】
以下、本発明の端末網制御装置について図面を参照して説明する。
【実施例１】
【００２１】
図１は端末網制御装置を自動検針システム（無線テレメータシステム）に適用した場合の実施例を示すブロック図である。
【００２２】
同図において、１０は上位無線端末として機能する端末網制御装置、２０は下位無線端末である。端末網制御装置１０の上位無線端末は無線親機１００を含み、下位無線端末２０は無線子機２００から構成されている。
【００２３】
無線親機１００は、センタ装置（図示せず）から通信網３００（通信回線３０１）を介して送信されるデータを受信し、該データを下位無線端末２０である無線子機２００に無線通信するものである。
【００２４】
データとは、無線子機２００宛のデータであり、例えばセンタ装置から無線親機１００を介して無線子機２００に対してメータ検針を要求し、該無線子機側のメータ検針値（データ）を応答してもらうための検針要求データある。
【００２５】
無線親機１００は、センタ装置に通信網３００（通信回線３０１）に接続され、センタ装置からのデータを受ける回線処理部１０１と、センタ装置間との通信のためのモデム１０２と、通信回線３０１の接続状態を検出する回線検出部２０９などを含む回線網側回路部を備えている。
【００２６】
また、無線親機１００は、前記データを無線子機２００に送信する親機送信部１０３および親機アンテナ１０４と、前記無線子機２００の子機送信部２０３および子機アンテナ２０４を介して送信されてくるデータ（検針値のデータ）を受信する親機受信部１０５などを含む送受信回路部を備えている。
【００２７】
また、更に無線親機１００は、無線子機２００との間で通信するＲＣＲ信号５０１、簡易呼出ＩＤ５０２、情報５０３（図２参照）などを記憶する記憶部１０６を含む記憶回路部と、前記各部に電力を供給する電源１０７を含む親機電源回路部と、前記データを受けたとき、前記各部を制御する親機制御部１０８を含む親機制御回路部などを備えている。
無線親機１００および無線子機２００は例えばマイクロコンピュータから構成されている。
【００２８】
親機制御部１０８は、ＲＣＲ信号送信制御機能部１０８１と、簡易呼出ＩＤ・情報送信機能部１０８２と、データ送受信機能制御部１０８３を備えている。
【００２９】
ＲＣＲ信号送信制御機能部１０８１は、センタ装置から無線子機（下位無線端末）２００宛への送信要求のデータを受けたとき、無線親機（上位無線端末）１００から無線子機２００に対してＲＣＲ信号５０１を送信し、無線子機１００を呼び出すように制御するものである。
【００３０】
簡易呼出ＩＤ・情報送信機能部１０８２は、無線子機２００がＲＣＲ信号５０１を着信し、無線親機１００と無線子機２００との間での電波通信が可能な状態になったとき、簡易呼出ＩＤ５０２とデータを含む情報５０３を一つにまとめて（簡易呼出ＩＤ＋情報）無線子機２００へ送信するように制御するものである。
【００３１】
データ送受信機能制御部１０８３は、簡易呼出ＩＤ５０２により無線子機２００との間でリンクが確立され、無線親機１００からのデータに応答して無線子機１００から送信されるデータ（メータ４００の計測値データ）を受けたとき、無線子機２００からのデータを、通信回線３０１を介してセンタ装置へ送信するように制御するものである。
【００３２】
ここで、無線親機１００の制御部１０８は無線子機２００からのデータを、親機アンテナ１０３を介して親機受信部１０４により受けたとき、該データを解析し、例えば検針（計測）用データやその計測時間などを解析する機能を有している。
【００３３】
簡易呼出ＩＤ・情報送信機能部１０８２は、無線親機１００から無線子機２００に対して、ＲＣＲ信号５０１からなる第１の送信パターン（無線電文構成）と、簡易呼出ＩＤ５０２と前記データを含む情報５０３の第２の送信パターン（無線電文構成）からなる２つの送信パターンとに分けて送信するものである。また簡易呼出ＩＤ５０２と前記データを含む情報５０３を一つにまとめ送信し、かつ簡易呼出ＩＤ５０２とデータを含む情報５０３を一つにまとめにした電文を連続して送信（連送）するように構成されている。
【００３４】
無線子機２００は、無線親機１００からのデータを受信する子機アンテナ２０３および子機受信部２０４と、無線子機２００のデータ（メータ４００からの検針値のデータ）を、子機アンテナ２０３を介して無線親機１００に送信する子機送信部２０５などを含む送受信回路部と、無線子機２００のデータを格納する記憶部２０６を含む記憶回路部と、無線親機１００からのデータを受け、また無線子機２００のデータを、子機送信部２０５、子機アンテナ２０３を介して無線親機１００へ送信するように制御する子機制御部２０８を含む子機制御回路部などを備えている。また、無線子機２００は、例えば検針用メータ４００に接続されるインターフェース２０７と、各部に電圧を供給する電源部２０７を備えている。
【００３５】
子機制御部２０８は、無線親機１００から送信パターン（簡易呼出ＩＤ＋データ）を受信したとき、該データの電波を解析するよう制御するデータ解析制御機能部２０８１と、データが目的の無線親機１００からのデータか否かを判定するよう制御する目的データ判定制御機能部２０８１と、無線親機１００からのデータを受信し、また判定制御機能部２０８１の判定の結果、目的の無線親機１００からのデータであると判断した場合、子機送信部２０５に対して、応答を返すように制御するデータ送受信制御機能部２０８３などを含んでいる。
【００３６】
つまり、子機制御部２０８は、無線親機１００のデータに応答して無線親機１００に対し、無線機子２００のデータ（記憶部２０６に記憶されたメータ４００の検針値データ）を送信するように制御する。
【００３７】
図２は、無線親機１００と無線子機２００との間で無線通信を行うときに使用される無線電文構成例を示す図である。
【００３８】
同図において、ＲＣＲ信号５０１（Ｘ1bit，Ｔ1sec）はビット同期５０１１、フレーム同期５０１２、無線子機２００を呼び出す呼出信号５０１３を含んでいる。
【００３９】
簡易呼出ＩＤ（Ｘ2bit，Ｔ2sec）５０２は無線子機２００とのリンクを確立するものであり、ビット同期５０２１、フレーム同期５０２２、相手局短縮ＩＤ５０２３を含んでいる。
【００４０】
情報（Ｘ3bit，Ｔ3sec）５０３はビット同期５０３１、フレーム同期５０３２、制御コマンド５０３３、相手局ＩＤ（可変）５０３４、自局ＩＤ５０３５、パケット構成５０３６、データ部５０３７を含んでいる。そして、これらは記憶部１０６に記憶される。
【００４１】
次に、センタ装置から無線親機１００と無線子機２００への通信の流れについて図３を参照して説明する。
【００４２】
ここで、無線親機１００は通信網３００（通信回線３０１）を介してセンタ装置と接続され、データの送受信が可能な状態にあり、また無線子機２００とは縁組関係にあり、無線通信が可能な状態にあることを前提としている。
【００４３】
また、無線親機１００と無線子機２００との縁組に関しては、公知技術により実現可能であり、例えば特許文献１に示す方法により実現でき、その詳細説明は省略する。また、無線子機２００としては一つの例を示している。
【００４４】
図３において、センタ装置から通信回線３０１を介して無線子機２００宛のデータ（検針要求）が送信されると、無線親機１００は回線網側回路部の回線処理部１０１により該データを受信する（ステップＳ１０８１）。
【００４５】
無線親機１００がセンタ装置からの無線子機２００宛へのデータを受信したとき、無線親機１００の親機制御部１０８は記憶部１０６からＲＣＲ信号５０１を読み出し、該ＲＣＲ信号５０１（呼出信号）を送信パターン１（無線電文構成１）として送受信回路部の送信部１０５を介して無線子機２００へ送信する（ステップＳ１０８２）。
【００４６】
このとき、無線子機２００は子機受信部２０４によりＲＣＲ信号５０１を受信し、着信（ステップＳ２０８１）する。
【００４７】
無線親機１００は無線子機１００からの着信応答を検出し、無線親機１００の制御部１０８は記憶部１０６から簡易呼出ＩＤ５０１と情報（データ）５０３を読み出し、これらを一まとめて送信パターン２（無線電文構成２）として送信部１０５を介して無線子機２００へ送信する（ステップＳ１０８３）。
【００４８】
この簡易呼出ＩＤ＋情報の一まとまりの無線電文構成からなる送信パターン２は無線子機２００から応答があるまで連続して送信（連送）される。
【００４９】
無線子機２００は子機受信部２０４により無線親機１００から送信された簡易呼出ＩＤ５０１と情報（データ）５０３を受信部１０４により受信し（ステップＳ２０８２）、該データの電波を子機制御部２０６により解析（ステップＳ２０８３）する。
【００５０】
次いで、子機制御部２０６により目的の無線親機１００からのデータであるか否かを判定（ステップＳ２０８４）する。
【００５１】
その結果、目的のデータであると判定した場合、無線親機１００からのデータに応答して無線子機２００のデータ（検針値）を子機送信部２０５を介して無線親機１００へ送信する（ステップＳ２０８５）。
【００５２】
目的の無線親機１００からのデータであるか否かの判定は、無線親機１００から送信されてくる自局ＩＤ５０３５（無線親機１００を識別するためのＩＤ）の識別により可能である。
【００５３】
無線親機１００は無線子機１００からのデータを受信部１０４により受信し、該データを解析する（ステップＳ１０８４）。
【００５４】
しかるのち、該解析したデータをセンタ装置に通信回線３０１を介して送信する（ステップＳ１０８５）。
データをセンタ装置に送信したあとは、通信終了する（ステップＳ１０８６）。
【００５５】
ここで、従来は、ＲＣＲ信号５０１、簡易呼出ＩＤ５０２、情報（データ）５０３を、それぞれ個別に順に送信する通信方式であったことから上述したような問題があった。
【００５６】
本発明では、係る問題を是正するため、無線親機１００と無線子機２００間のリンク確立電文、リンク中電文に使用されるＲＣＲ信号５０１を送信し、また無線子機２００が着信したとき、簡易呼出ＩＤ５０２とデータを含む情報５０３を一つにまとめて送信する無線電文構成とした形式としている。
【００５７】
上述した無線親機１００と無線子機２００間の無線通信形式の実施例によれば、簡易呼出ＩＤ＋情報（データ）に係る時間は、従来の如く、ＲＣＲ信号５０１、簡易呼出ＩＤ５０２、情報５０３の各項目に連送を行う形式に比べ、格段に時間短縮（Ｎ回／５５５回、Ｎ：リンク確立成功回数）が図れる。また簡易呼出ＩＤと情報を一つにまとめて連送することにより、従来の式に比べ、縁組されている無線端末に早く電文を送信することができる。また、データを連送することにより、通信の信頼性も損なわれることはない。
【００５８】
すなわち、本発明では、図２の無線電文構成を変更、つまり２つの無線電文構成に分け、２つの送信パターンとして送信する通信方式とすることにより、それらの通信時間の短縮化を行っている。本発明の通信方式は、簡易呼出ＩＤまたは情報個別の連送を止め、毎回簡易呼出ＩＤ＋情報のまとまりを連送するという方法としている。
【００５９】
従って、リンク中電文の無線電文構成において、簡易呼出ＩＤと情報（データ）の連送回数を減らすことが可能である。これは、以下に示す実施例２の如く、無線端末が、多段で縁組されている多段化縁組構成例において、より効果を発揮することができる。
【実施例２】
【００６０】
図４は無線親機１００と無線子機２００間に副無線親機５００および中継無線機６００を配置し、各無線端末の多段化縁組構成を表した例である。
【００６１】
本実施例のような多段化縁組構成によれば、例えば、簡易呼出ＩＤの連送回数をＮ１回、情報の連送回数をＮ２回とすると、従来では無線親機１００から副親機５００へ、該副親機から中継機６００へ、該中継機から無線子機２００へといったように毎回Ｔ１＋Ｔ２×Ｎ１＋Ｔ３×Ｎ２ｓｅｃの時間が端末間でかかっていたので、この多段中継の場合、（Ｔ１＋Ｔ２×Ｎ１＋Ｔ３×Ｎ２）×３(sec)の時間がかかることになる。
【００６２】
これに対し、本発明の実施例によれば、例えば全て１回で無線通信に成功した場合、（Ｔ１＋Ｔ２＋Ｔ３）×３(sec)の時間で通信が行えることとなる。これは、従来の通信方式では親機から副親機へデータが送信されるときに親機のデータを受信し、副親機がデータを送信できる状態になったとしても中継機へのデータ送信までに規定の時間（連送が終わるまで）は待たないといけなかったが、本発明の通信方式によれば副親機５００が無線親機１００からデータを受信したら規定の時間を待たずに中継機６００にデータを送信できる状態になるということである。以上により、従来よりも通信時間の短縮化を行うことができた。
【産業上の利用可能性】
【００６３】
本発明は、無線通信の分野の端末網制御装置であれば適用可能である。
【符号の説明】
【００６４】
１０    端末網制御装置（上位無線端末）
１００  無線親機
１０１  回線処理部
１０３  親機アンテナ
１０４  親機無線受信部
１０５  親機無線送信部
１０６  親機記憶部
１０７  親機電源部
１０８  親機制御部
２０    無線端末（下位無線端末）
２００  無線子機
２０３  子機アンテナ
２０４  子機無線受信部
２０５  子機無線送信部
２０６  子機記憶部
２０７  子機電源部
２０８  子機制御部
３００  回線網
３０１  通信回線
４００  メータ（例えば検針値メータ）
５００  副親機
６００  中継機
【図１】
2014036294.tif 000003
【図２】
2014036294.tif 000004
【図３】
2014036294.tif 000005
【図４】
2014036294.tif 000006